(57)【要約】【課題】  入力信号の周波数認識幅を変え、選局動作を安定化する。【解決手段】  受信信号の周波数を探索し、該周波数を特定する選局装置であって、受信信号に対応する信号から周波数探索用のＡＦＴ信号が出力されるＡＦＴ回路（１９）と、受信信号の初期登録時、ＡＦＴ信号の周波数探索範囲が第１の周波数範囲に設定され、初期登録後の通常受信時、ＡＦＴ信号の周波数探索範囲が第２の周波数範囲に設定され、この第２の周波数範囲に応じて、ＡＦＴ回路に前記受信信号の周波数を探索する制御信号が供給される周波数選択制御回路と、この周波数選択制御回路の制御信号により、受信信号の周波数が設定されるチューナー部１４とを有し、第１の周波数範囲を第２の周波数範囲より狭くして、通常受信時の選局を安定に動作させるようにした。【選択図】図１
2007006127.tif 000002
【特許請求の範囲】
【請求項１】
受信信号の周波数を探索し、該周波数を特定する選局装置であって、
前記受信信号に対応する信号から周波数探索用のＡＦＴ信号が出力されるＡＦＴ回路と、
前記受信信号の初期登録時、前記ＡＦＴ信号の周波数探索範囲が第１の周波数範囲に設定され、前記初期登録後の通常受信時、前記ＡＦＴ信号の周波数探索範囲が第２の周波数範囲に設定され、該第２の周波数範囲に応じて、前記ＡＦＴ回路に前記受信信号の周波数を探索する制御信号が供給される周波数選択制御回路と、
前記周波数選択制御回路の制御信号により、受信信号の周波数が設定されるチューナー回路と
を有する
選局装置。
【請求項２】
前記受信信号はアナログテレビジョン放送信号である
請求項１記載の選局装置。
【請求項３】
前記ＡＦＴ信号の周波数探索範囲の前記第１の周波数範囲は前記第２の周波数範囲より狭く設定された
請求項１記載の選局装置。
【請求項４】
前記ＡＦＴ信号の周波数探索範囲の前記第１の周波数範囲と前記第２の周波数範囲は電圧に変換されて、記憶装置に記憶された
請求項１記載の選局装置。
【請求項５】
アナログ放送の選局方法において、
受信機の初期の放送信号のチャンネル登録時と、前記登録後の通常時のチャンネル選択時の間でＡＦＴのサーチする周波数認識範囲を異ならせ、前記チャンネルを選局するようにした
選局方法。
【請求項６】
前記初期のチャンネル登録時の周波数認識幅は、前記登録後の通常時のチャンネル選択時の周波数認識幅より小さくした
請求項５記載の選局方法。
【請求項７】
受信信号のチャンネル選局方法において、
前記チャンネルの周波数近傍で、ＡＦＴ電圧が第１のローレベルになる領域を探索する第１のステップと、
前記ＡＦＴ電圧が第１のローレベルと探索されたら、所定の周波数間隔で探索し、前記ＡＦＴ電圧が第１のハイレベルかどうかを調べる第２のステップと、
前記ＡＦＴ電圧が第１のハイレベルになると、該第１のハイレベルの周波数から所定の周波数幅で周波数を下げる第３のステップと、
前記ＡＦＴ電圧の第１のハイレベルと第２のローレベルに対応する周波数範囲になると、周波数探索を終了する第４のステップと、
前記第１のハイレベルと第１のローレベルの周波数情報を記録する第５のステップと、
周波数探索が終了した後、選択チャンネルの周波数近傍で、ＡＦＴ電圧が第２のローレベルになる領域を探索する第６のステップと、
前記ＡＦＴ電圧が第２のローレベルになると、所定の周波数間隔で周波数を増加させ、前記ＡＦＴ電圧が第２のハイレベルであるかどうかを調べる第７のステップと、
前記ＡＦＴ電圧が第２のハイレベルのとき、周波数を所定間隔で減少させる第８のステップと、
周波数探索は、前記減少する周波数が前記ＡＦＴ電圧の第２のハイレベルと第２のローレベル間に入ったところで終了する第９のステップと
を有する
選局方法。
【請求項８】
前記第１のハイレベルと第１のローレベル間に対応する周波数範囲幅は、前記第２のハイレベルと第２のローレベルに対応する周波数範囲幅より小さい
請求項７記載の選局方法。
【発明の詳細な説明】
【技術分野】
【０００１】
本発明は、ＴＶ（テレビジョン）受像機などの選局装置およびその方法において、経時変化や温度変化などによる装置の特性のばらつきがあっても安定に選局する選局装置と選局のための制御方法に関する。
【背景技術】
【０００２】
地上波アナログ放送の選局方式は、一般的には映像搬送波を探すためにＡＦＴ（Ａｕｔｏｍａｔｉｃ  Ｆｉｎｅ  Ｔｕｎｉｎｇ）という信号手段を用いる。これはチューニングサーチ（探索）途上で映像搬送波の有無を電圧の変化で検出するための信号で、ＰＬＬ（Ｐｈａｓｅ  Ｌｏｃｋｅｄ  Ｌｏｏｐ）やクワダラチュアー検波器などの位相比較器で電圧化するのが一般的で、信号成分を同調した場合の近傍では“Ｓ字”カーブ（曲線）と呼ばれる電圧変動特性を持つ。
この電圧変動特性をマイコン（マイクロコンピュータとも記載する）側でＡＤ（アナログ・ディジタル）変換器を介して検出し、映像搬送波にふさわしいＳ字特性か否かで放送信号の検出を行う。
【０００３】
なお、不要な信号とＴＶ映像搬送波との識別をするために、追加で同調付近の水平同期信号（日本の放送システムにおいては、１５．７５ＫＨｚ）もマイクロコンピュータで検出し、その２つの条件でＴＶ放送信号と判別する場合もある。
【０００４】
特許文献１には、ＡＦＴ信号を検出するため、予めしきい値をＡＦＴ信号の中心電圧より高く設定しプリセット時に規定周波数より低い周波数の電圧にチューニング（同調）電圧を設定することにより、温度変化やドリフトなどに起因してチューニング電圧が高くなった場合でも、従来よりも広い範囲までＡＦＴを引き込めるようにしている。
【特許文献１】特開平６−５４２７７号公報
【発明の開示】
【発明が解決しようとする課題】
【０００５】
従来の選局装置において、現実にはＡＦＴ回路を構成する位相比較手段などは経時変化や温度変化などの何らかのバラツキ要因を持ち、また、ごく稀にチューナー側の局部発振周波数や送信側の変動により結果として初期登録時と同じ選局周波数設定を視聴時のＴＶチャンネルに充てても、Ｓ字（カーブ）特性の電圧そのものがずれる場合がありうる。
初期登録時（プリセット時）と通常視聴時の選局周波数認識幅を同一に設定されている場合は、初期登録時の登録周波数精度が広く（粗く）なり、その認識幅ぎりぎりで登録された場合を想定すると、その状態で経時変化等のドリフトが発生し認識幅ぎりぎりで逸脱してしまい、通常視聴選局時に選局ミスを生じる可能性がある。
選局ミスが生じると、少なくとも再度ＡＦＴ回路はＳ字（カーブ）特性を探しにいくなどの補正動作を行う必要があり、選局時間が増える不利益がある。
そこで、本選局装置およびその方法は上記不利益を想定し、初期登録時は選局認識幅を狭く設定して登録周波数精度を上げる方向とし、選局設定時からの経時変化がおきても通常視聴の選局時、選局認識幅を広くして、これに入る可能性を高めることにより選局動作の安定化を向上させる。
【課題を解決するための手段】
【０００６】
本発明の選局装置は、受信信号の周波数を探索し、該周波数を特定する選局装置であって、前記受信信号に対応する信号から周波数探索用のＡＦＴ信号が出力されるＡＦＴ回路と、前記受信信号の初期登録時、前記ＡＦＴ信号の周波数探索範囲が第１の周波数範囲に設定され、前記初期登録後の通常受信時、前記ＡＦＴ信号の周波数探索範囲が第２の周波数範囲に設定され、該第２の周波数範囲に応じて、前記ＡＦＴ回路に前記受信信号の周波数を探索する制御信号が供給される周波数選択制御回路と、前記周波数選択制御回路の制御信号により、受信信号の周波数が設定されるチューナー回路とを有する。
本発明の選局装置の選局方法は、アナログ放送の選局方法において、受信機の初期の放送信号のチャンネル登録時と、前記登録後の通常時のチャンネル選択時の間でＡＦＴのサーチする周波数認識範囲を異ならせ、チャンネルを選局するようにした。
本発明の選局方法は、受信信号の選局方法において、前記チャンネルの周波数近傍で、ＡＦＴ電圧が第１のローレベルになる領域を探索する第１のステップと、前記ＡＦＴ電圧が第１のローレベルと探索されたら、所定の周波数間隔で探索し、前記ＡＦＴ電圧が第１のハイレベルかどうかを調べる第２のステップと、前記ＡＦＴ電圧が第１のハイレベルになると、該第１のハイレベルの周波数から所定の周波数幅で周波数を下げる第３のステップと、前記ＡＦＴ電圧の第１のハイレベルと第２のローレベルに対応する周波数範囲になると、周波数探索を終了する第４のステップと、前記第１のハイレベルと第１のローレベルの周波数情報を記録する第５のステップと、周波数探索が終了した後、選択チャンネルの周波数近傍で、ＡＦＴ電圧が第２のローレベルになる領域を探索する第６のステップと、前記ＡＦＴ電圧が第２のローレベルになると、所定の周波数間隔で周波数を増加させ、前記ＡＦＴ電圧が第２のハイレベルであるかどうかを調べる第７のステップと、前記ＡＦＴ電圧が第２のハイレベルのとき、周波数を所定間隔で減少させる第８のステップと、周波数探索は、前記減少する周波数が前記ＡＦＴ電圧の第２のハイレベルと第２のローレベル間に入ったところで終了する第９のステップとを有する。
【発明の効果】
【０００７】
送信局から受信機に送信されてくる送信周波数の初期登録時に選局認識幅を狭く設定し、周波数精度を上げて探索して登録し、その後の受信機の通常視聴時には送信周波数の選局の認識幅を登録時より広く設定し、視聴選局時の選局漏れを回避する選局装置とその方法を実現できる。
このとき、初期登録時は選局認識幅を狭く設定して登録周波数精度を上げる方向とし、ここからの経時変化がおきても通常視聴時の選局認識幅には入る可能性を高めることにより選局動作をより安定させることができる。
【発明を実施するための最良の形態】
【０００８】
まず、図１に実施形態例である地上波アナログＴＶ信号の（ＴＶ）受信システム１０の構成例を示す。
受信システム１０の受信側の主要部は、アンテナ１３、チューナー部１４、ＶＩＦ（Ｖｉｄｅｏ  Ｉｎｔｅｒｍｅｄｉａｔｅ  Ｆｒｅｑｕｅｎｃｙ）回路１７で構成されている。このＶＩＦ回路１７からＡＦＴ信号、映像信号と音声信号などが出力される。
チューナー部１４は、不図示の高周波増幅器（ＲＦアンプ）、局部発振器１５、ミキサ（周波数混合器）１６などで構成され、アンテナ１３で受信した信号は不図示のローノイズＲＦ（Ｒａｄｉｏ  Ｆｒｅｑｕｅｎｃｙ）アンプを介してミキサ１６に供給される。またこのミキサ１６には局部発振器１５から各ＴＶ受信チャンネルに対応した発振信号が供給され、入力信号と発振信号が周波数混合され、その差であるＶＩＦ周波数（日本のＴＶシステムの場合は５８．７５ＭＨｚ）が出力される。
【０００９】
またチューナー部１４はＶＨＦ（Ｖｅｒｙ  Ｈｉｇｈ  Ｆｒｅｑｕｅｎｃｙ；９０〜２２２ＭＨｚ）、ＵＨＦ（Ｕｌｔｒａ  Ｈｉｇｈ  Ｆｒｅｑｕｅｎｃｙ；４７０〜７７０ＭＨｚ）バンドの受信だけでなく、ＣＡＴＶ周波数帯域も受信できるような回路構成となっていて、チューナー部１４に設けられた、ＳＷ（スイッチ）を切り換えて各バンドＶＨＦ，ＵＨＦ，ＣＡＴＶからたとえば１つ選択し、この選択した周波数バンドから希望のチャンネルを受信できるようにしている。
【００１０】
ＶＩＦ回路１７は、フィルター１８、ＡＦＴ回路の一部を構成する位相検波器１９、映像音声検波器２０で構成されている。
フィルター１８は、一般にＳＡＷ（Ｓｕｒｆａｃｅ  Ａｃｏｕｓｔｉｃ  Ｗａｖｅ；弾性表面波）フィルターが用いられ、急峻な減衰特性を利用して、音声トラップや隣接チャンネル信号を減衰して、必要なＩＦ帯域特性を得ている。このように、ＳＡＷフィルター（１８）は単体で必要な中間周波数特性が得られるので、従来コイル、キャパシタなどのトラップ付きフィルターで微調整を行っていたことに対して、無調整でき、さらに部品点数が削減されている。
【００１１】
ＡＦＴ回路は、たとえば、映像（ビデオ）中間周波数増幅回路（ＩＦ回路）に接続された映像搬送波増幅回路、リミッタ、位相検波器（１９）、ＶＣＯ，ＰＬＬ回路、直流増幅器などで構成されている。
映像搬送波増幅回路は、映像中間周波数増幅回路からキャリアの５８．７５ＭＨｚ近傍の抜き出された映像中間搬送波を増幅し、振幅を十分大きくしてリミッタに出力する。
リミッタは入力された映像中間搬送波の振幅を一定にし、振幅変調分を削除する。
位相検波器１９は、たとえばＰＬＬ（Ｐｈａｓｅ  Ｌｏｃｋｅｄ  Ｌｏｏｐ）やクオダラチュアー検波器などの位相比較（検波）器１９で構成されている。
この位相検波器１９では、映像搬送波増幅回路から出力された映像中間搬送波の周波数の変化を検出し、その検出した結果を例えば電圧または電流に変換する。位相検波器１９では一般的に電圧に変換され、映像中間周波数（５８．７５ＭＨｚ）と同調した近傍では“Ｓ字カーブ”と呼ばれる電圧変動特性を持つ。
直流増幅器は、検出された電流を電圧に変換して、または電圧を増幅して、その電圧変化を同調状態の情報として組み込みマイコンに伝達する。組み込みマイコンはこれにより補正用の選局データをチューナ部に送る。これにより得られた電圧が、局部発振器１５の共振回路を構成するバリキャップダイードに印加され、その印加された電圧にしたがって容量値が変わり、共振周波数が変化して、発振周波数が変わる。
【００１２】
映像音声検波器は、映像中間周波数増幅回路、映像検波回路の映像受信回路と、色復調回路、色同期回路などの色復調回路と、同期検波回路、水平垂直同期回路などの同期回路と、音声検波回路、音声中間増幅回路、ＦＭ検波回路、低周波増幅回路の音声受信回路で構成されている。
【００１３】
図１に示すように、送信側から所定のチャンネルのＴＶ信号が送信される。なお、図１ではＵＨＦ（Ｕｌｔｒａ  Ｈｉｇｈ  Ｆｒｅｑｕｅｎｃｙ）,ＶＨＦ（Ｖｅｒｙ  Ｈｉｇｈ  Ｆｒｅｑｕｅｎｃｙ）波が空中線を経る例であるが、送り側が有線のＣＡＴＶ（Ｃａｂｌｅ  Ｔｅｌｅｖｉｓｉｏｎ；ケーブル・テレビジョン）であってもよい。また、送信側によっては、その映像搬送波（チャンネル信号とも記載する）にジッターやドリフト等の変動要因がある場合も考えられる。伝送信号はたとえばアンテナを介してＴＶチューナーに入力される。
【００１４】
チューナー（部）１４では局部発振器１５から出力される発振信号とアンテナ１３で受信された映像搬送波とで周波数変換が行われ、その差周波数の映像中間（ＶＩＦ）周波数の信号がチューナー部１４から出力される。
各チャンネルの周波数を同調した時に、映像搬送波は一律に同一の中間周波数信号に変換されるが、これを、スペクトラムエンベロープを波形整形するために、選択度の高い（中間周波）フィルター１８を通し、その後、映像音声復調処理２０と同じステージにＡＦＴ検波回路がある。
（ＡＦＴ）位相検波器１９は一般にはＰＬＬやクワダラチュアー検波器の位相比較器が用いられ、入力される中間周波数の映像搬送波とリファレンス信号との位相差（周波数差）を電流、電圧に変換して出力する。
【００１５】
上述したように、ＡＦＴ回路（１９）は、映像（ビデオ）中間周波数増幅回路（ＶＩＦ回路）に接続された映像搬送波増幅回路、リミッタ、位相検波器１９、ＶＣＯ，ＦＬＬ回路、直流増幅器などで構成されていて、位相検波器１９に入力されたＩＦキャリア信号（映像中間搬送波）が基準周波数と比較され、基準周波数との位相差に応じて正負の電流が流れ（電流が増減する）、その電流をＬＰＦ（ローパスフィルター）で直流電圧に変換する。
【００１６】
図２に、実施形態例であるＡＦＴ回路の一部を構成する位相検波器１９の出力波形の特性を示す。
ここではｘ軸が映像中間搬送波の周波数すなわち入力放送周波数、ｙ軸が位相比較の出力電圧で、一般にＡＦＴ電圧と称される。
たとえば、プリセット時に各ＴＶチャンネルに対応して入力される映像搬送数が入力される。このとき、バリキャップダイオードに供給される電圧を可変して局部発振器１５の発振周波数を可変することにより、周波数を低いほうから順次増加する。すると、この局部発振器１５の発振周波数に対応して、映像中間搬送波（または入力放送周波数）がｆ１〜ｆ２までの範囲ではＡＦＴ出力電圧はＡ１、また入力放送周波数がｆ２からｆ３の範囲ではマイナス電圧Ａ１から０レベルを介してプラス電圧Ａ２まで増加する。ＡＦＴ電圧が０レベルのとき、チューナー（部）１４は同調（同調中心周波数ｆ０）したことを示している。
以下、映像中間搬送波の周波数のことを入力放送周波数と記載する。また、図２、図３、図４においては、映像中間周波数のことを入力放送周波数と記載してある。
【００１７】
しかし、入力放送周波数がｆ２以下とｆ３以上ではＡＦＴ電圧は一定であるので、局部発振器１５に供給する電圧は一定（Ａ１とＡ２に固定されている）となり同調周波数ｆ０に引き込むことはできない。このように、ＡＦＴ出力電圧が一定であるので、電圧変化に基づく周波数の制御はできず、位相検波器（ＡＦＴ回路）１９の周波数制御の範囲以外となる。
入力放送周波数がｆ２とｆ３の範囲においては、この入力放送周波数が変化するとそれに伴い出力電圧（ＡＦＴ電圧）が可変するので、出力電圧で局部発振器１５のバリキャップダイオードの容量値を可変でき、電圧を増減して目標の入力放送周波数（ｆ０）に調整できる。その結果、局部発振器１５の発振周波数を可変することにより、入力放送周波数を固定されたＩＦ周波数（５８．７５ＭＨｚ）に同調させることができる。
【００１８】
以下、上述した同調についてＴＶ受信機の例を用いて具体的に説明する。
入力放送周波数がｆ０とｆ３の間の場合、この入力放送周波数は目標値である固定の中間周波数より高いので、（入力放送周波数は局部発振器１５の方式をアッパーへテロダイン方式とすると、チャンネル周波数は固定であるから）、下げる必要がある。すなわち、位相検波器の出力電圧を下げて、この電圧を局部発振器１５に供給し、発振周波数を下げる。その結果、入力放送周波数は下がる。
【００１９】
上述した内容を、数式を用いてさらに具体的に述べる。
局部発振器１５の発振周波数、入力信号（ＴＶ映像搬送波のチャンネル周波数）とＩＦ（中間）周波数の関係は、具体的に、
［数１］
ｆｌｏｃａｌ＝ｆｃｈ＋ｆＩＦ 
と表される。
ここで、ｆｌｏｃａｌは局部発振器１５の発振周波数、ｆｃｈは各チャンネルの（映像搬送波）周波数、ｆＩＦは中間周波数（日本において、５８．７５ＭＨｚ）である。
この式から
［数２］
ｆＩＦ＝ｆｌｏｃａｌ−ｆｃｈ
と表される。
各チャンネルの映像搬送波周波数は規定されているので、中間周波数に対応する入力放送周波数をｆ０すなわちｆＩＦに調整しなければならない。
上述した入力放送周波数はｆＩＦに対応し、ｆｃｈはチャンネル周波数（映像搬送波周波数）で規定されているので、発振周波数ｆｌｏｃａｌを可変する必要がある。いま、ｆｃｈに対応する映像搬送波周波数が特定のチャンネルの同調中心周波数ｆ０より高いので、ｆＩＦを一定（目標値）にするにはｆｌｏｃａｌを小さくしなければならない。具体的には、局部発振器１５のバリキャップダイオードに印加する電圧を下げて、発振周波数を下げる。
この動作を繰り返し周波数ｆ０の同調中心周波数に落ち着く。すなわち、入力放送周波数が、ｆＩＦ＝５８．７５ＭＨｚとなり、同調がとれ、チャンネルが選択されたことになる。
【００２０】
一方、入力放送周波数がｆ２とｆ０の間にあると、この入力放送周波数は同調中心周波数ｆ０より低いので、上述した動作と逆になり、位相検波器１９では出力電圧が増加し、この増加された電圧がバリキャップダイオードに印加される。
その結果、発振周波数ｆｌｏｃａｌも増加し、式（数２）で表されるｆｌｏｃａｌ−ｆｃｈの周波数（値）が増加することになる。入力放送周波数は最後に同調中心周波数ｆ０に同調する。すなわち入力放送周波数が、ｆＩＦ＝５８．７５ＭＨｚとなり、同調がとれ、チャンネルが選択されたことになる。
これらの一連の動作を、各チャンネル周波数に対して、順次繰り返し行い、プリセットまたは視聴時のチャンネルの選局が行われる。
【００２１】
図２に示すように、特に四角で囲んだ領域、すなわち入力放送周波数に対するＡＦＴ電圧の出力特性はアルファベットの文字Ｓと類似しているので、この特性をＳ字特性（カーブ）と呼び、送り側の周波数（たとえば、チャンネル周波数）と、ＴＶ受像機（受信側）で設定する同調周波数が近傍にあるときの電圧特性である。
【００２２】
次ぎに、図３を用いて、本発明の実施形態例である、初期の放送信号登録時（ＴＶ受像機または一般受信機のチャンネルプリセット時）の選局設定について説明する。
図３に示したｘ軸に入力放送周波数とｙ軸に位相比較結果（ＡＦＴ電圧）の特性図において、同調中心周波数ｆ０Ａの設定範囲を規定する。
すなわち、チャンネルプリセット時、同調周波数範囲に対応する入力放送周波数をｘ軸のｆ３Ａ〜ｆ５Ａの範囲に設定し、そのときのＡＦＴ電圧をＢ２〜Ｂ１とする。入力放送周波数の範囲ｆ３Ａ〜ｆ５ＡをδＦ１とすると、この周波数の変化に対応するＡＦＴ出力電圧の範囲はδＶ１である。
このδＦ１はＳ字カーブで表される周波数引き込み範囲（ｆ２Ａ〜ｆ６Ａ）より狭く設定されていて、またこれに対するＡＦＴ電圧の範囲も周波数ｆ２Ａとｆ６Ａに対応する電圧（Ａ２，Ａ１）より狭くなり、プリセット時の周波数設定をより精度良くしている。
【００２３】
実施形態例である選局装置の選局動作を図３と図５を用いて具体的に説明する。
図５に示す、ＴＶ受像機２００はアンテナ２０１がチューナーとＶＩＦ回路部２０２に接続され、このチューナーとＶＩＦ回路部２０２から映像信号、音声信号とＡＦＴ信号が出力される。
ＡＦＴ信号が出力されるチューナーとＶＩＦ回路部２０２は組み込みマイコン（マイクロコンピュータ）２０３に接続され、ＡＦＴ動作による各チャンネルの周波数同調が行われる。
【００２４】
組み込みマイコン２０３においては、たとえばチューナー部のＶＨＦ、ＵＨＦまたＣＡＴＶのバンドを切り換える情報、各バンド内のチャンネル情報とそれに対応する周波数または電圧、さらにＡＦＴ信号に応じた局部発振器の周波数微調整のための制御電圧を記憶し、これらのデータに基づいて演算し、この結果を選局データとしてチューナーとＶＩＦ回路部２０２のチューナー部に出力する。
【００２５】
組み込みマイコン２０３から、チューナーとＶＩＦ回路部２０２のチューナー部に選局データとしてたとえばバンド情報を送り、それに基づいてＶＨＦ，ＵＨＦ，ＣＡＴＶの帯域のいずれかがＳＷを用いて選択される。選択された、たとえばＶＨＦバンドで、入力放送周波数がアンテナ２０１から、チューナーとＶＩＦ回路部２０２に入力される。
この状態において、組み込みマイコン２０３からチャンネル選択用の制御電圧、すなわち局部発振器１５のバリキャップダイオードに直流電圧を出力する。この直流電圧を徐々に増加すると、局部発振器１５の発振周波数も徐々に増加し、周波数の低いチャンネルから順次高いチャンネルにスキャンし、各チャンネルに同調していき、同調したところの電圧などのデータを逐次メモリなどに記憶する。
同調の途中、各チャンネル毎の同調中心周波数（ｆ０Ａ）付近になると、図３に示すＳ字カーブの特性のｘ軸で表される周波数ｆ２Ａ（〜ｆ６Ａ）に到達し、そこでＡＦＴ動作が行われる。
【００２６】
次ぎに、ＡＦＴ動作について図３、図４と図５を用いて具体的に説明する。
ステップＳＴ１：
組み込みマイコン２０３からチューナー部の局部発発振器１５のバリキャップダイオードに電圧を供給されると、バリキャップダイオードの容量値が決定され、この容量により共振周波数、すなわち発振周波数が決定され、ミキサ１６に出力される。
その結果、各チャンネル周波数（映像搬送波周波数）と局部発振器１５の発振周波数とが混合され、その差周波数がミキサ１６から出力され、ＶＩＦ回路（中間周波数増幅回路）で増幅された後ＡＦＴ回路（位相検波器１９）で位相が検出され、たとえば電圧信号に変換されたＡＦＴ信号が出力される。
このように、バリキャップダイオードに供給される電圧を可変し、局部発振器１５の発振周波数をたとえば徐々に増加させる。この局部発振器１５からの発振周波数に応じて、ＶＩＦ回路部１７（２０２）の出力からは、チャンネル周波数に対応してＩＦ周波数に変換された映像中間搬送波（入力放送周波数）が出力さる。入力放送周波数は各チャンネルの目標周波数であるＩＦ周波数（同調周波数ｆ０Ａの対応する）近傍で、まずＡＦＴ電圧がローレベルになる領域（周波数ｆ１Ａ）を探索する。
【００２７】
ステップＳＴ２：
ＡＦＴ電圧がローレベルの領域（周波数ｆ２Ａ）が見つかったら、一定の周波数間隔上の領域をサーチしてそこでのＡＦＴ電圧がハイレベルであるかどうかを調べ、ＡＦＴ電圧がハイレベルであれば、つぎのステップＳＴ３に移る。
たとえば、局部発振器１５から出力される発振周波数を可変して、ＶＩＦ回路部１７（２０２）から出力され、映像中間搬送波増幅回路から出力された入力放送周波数をｆ２Ａからｆ７Ａまで増加させる。そして、この入力放送周波数の周波数ｆ７ＡのＡＦＴ電圧が、周波数ｆ２Ａのローレベル（電圧）Ｂ１に対して、ハイレベル（電圧Ｂ２）になっているか調べる。
【００２８】
ステップＳＴ３：
ＡＦＴ電圧がハイレベルを検出したところに対応する周波数（ｆ６Ａ）から小刻みに周波数を下げていき、δＶ１の範囲内に電圧が収まったところで周波数探索を終了し、その時点の設定データをメモリに登録する。この場合は登録される可能性のある周波数精度は、図３において、δＦ１となる。
δＦ１の周波数範囲において、高い周波数ｆ５Ａに対応するＡＦＴ電圧はＢ２で、低い周波数ｆ３Ａに対応するＡＦＴの電圧はＢ１となっていて、その電圧差、Ｂ２−Ｂ１をδＶ１と定義している。このδＶ１は周波数ｆ２Ａと周波数ｆ７Ａに対応するＡＦＴ電圧の差に対して、小さく設定しているところに特徴があり、Ｓ字カーブ特性からみると、周波数の範囲が小さくなっていることになる。
【００２９】
このように、プリセット時、ＡＦＴの入力放送周波数を検出する周波数範囲を狭くしている。設定範囲を狭くして、条件を厳しくすることにより、後述するプリセット後の通常時のチャンネル選択動作において、経時変化によるエラーをなくすることができる。
【００３０】
図４において、本発明の実施形態例を説明するための通常視聴時に初期登録されたデータをもとに選局を行うが、その時の手順自体は図３に示す初期登録時と変わらない。
【００３１】
すなわち、
ステップＳＴ１：
登録データに基づいて選局データを設定する。すなわち、ＡＦＴ電圧がローレベルとなる周波数領域ｆ２Ａを見つける。
たとえば、バリキャップダイオードに電圧を印加して、局部発振器１５の発振周波数を設定チャンネルの近傍に設定し、ＶＩＦ回路部１７（２０２）から出力される入力放送周波数をｆ３Ａ'になるようにする。周波数ｆ３Ａ'におけるＡＦＴ電圧はＢ１'である。
【００３２】
ステップＳＴ２：
上記周波数（ｆ３Ａ'）位置から一定の周波数間隔以上の領域をサーチし、ＡＦＴ電圧がハイレベル、たとえば周波数ｆ５Ａ'を見つける。このときの、ＡＦＴ電圧はＢ２'であり、ローレベルの電圧Ｂ１'との差はδＶ２と設定される。
上述したように、ここで、通常視聴時の周波数の範囲はｆ３Ａ'からｆ５Ａ'の範囲であり、その周波数差をδＦ２と定義している。またこの周波数（範囲）に対するＡＦＴ出力電圧は、Ｂ１'とＢ２'で、その差をδＶ２と定義している。
【００３３】
ステップＳＴ３：
ＡＦＴ電圧がハイレベルを検出した周波数ｆ７Ａまたはｆ６Ａから小刻みに周波数を下げていき、δＶ２の範囲内に電圧が収まったところ、たとえば周波数ｆ４Ａ（またはｆ５Ａ'）で周波数探索を終了する。
【００３４】
ただし、このときの電圧範囲幅δＶ２は、図３に示した初期登録時の電圧範囲幅δＶ１より大きくしている。
この場合、選局周波数の探索を終了する可能性のある周波数精度はこの図４でδＦ２となる。ただし、周波数精度δＦ２は、初期登録時の周波数精度δＦ１より大きくなる。
【００３５】
上記一連の動作をまとめると、受信機購入時などのチャンネル情報を初期登録する場合は放送信号に対して電圧範囲幅δＶ１、即ち周波数精度δＦ１を狭く設定して精度良く同調情報を取得して登録し、その後の通常使用時、視聴時にチャンネルを選局する時は、登録後の各種変動要因を考慮して、登録時に基準とした電圧範囲幅δＶ１、周波数精度δＦ１よりも余裕のある電圧範囲幅δＶ２、周波数精度δＦ２を基準として選局動作を行う。これによって選局漏れ、選局落ちの可能性をより少なくし、選局動作をより安定化させる。
ここでは、ＴＶ受像機の選局装置とその方法についてのべたが、本発明はこれに限定されるべきものでなく、チューナー部を有する無線通信装置、またオーディオ製品に使用されるチューナー部にも明らかに適用される。
【００３６】
以上述べたように、ＴＶ受像機などのチューナー部の初期登録（チャンネルプリセット）時、各チャンネルの周波数設定範囲を狭くし、その後の通常受信時には、各チャンネルの周波数設定範囲を広く設定することにより、ＡＦＴ（周波数）の引き込み範囲を従来より広くすることができる。
そのため、受信機のチューニング特性が経時変化によりずれ、さらに温度変化、ドリフトなどが生じても、ＡＦＴが広い範囲で引き込み可能となり、安定したチャンネル選局ができる。
【図面の簡単な説明】
【００３７】
【図１】本発明の実施形態例のＴＶ受信システム構成を示す回路図である。
【図２】図１に示したＡＦＴ回路の動作を示す特性図である。
【図３】チューナー部の初期設定時における、図１に示したＡＦＴ回路の動作を説明するための特性図である。
【図４】チューナー部の通常受信時における、図１に示したＡＦＴ回路の動作を説明するための特性図である。
【図５】図３と図４に示したＡＦＴ回路動作を説明するための、ＴＶ受像機の主要部を示すブロック図ある。
【符号の説明】
【００３８】
１０…ＴＶ受信システム、１１…発振器、１２…送信出力回路、１３，２０１…アンテナ、１５…局部発振器、１６…ミキサ（周波数混合器）、１７…ＶＩＦ回路部（ＩＦ増幅回路）、１８…ＳＡＷフィルター（中間周波数フィルター；ＩＦフィルター）、１９…位相検波器、２０…映像音声検波器、２０２…チューナーとＶＩＦ（Ｖｉｄｅｏ  Ｉｎｔｅｒｍｅｄｉａｔｅ  Ｆｒｅｑｕｅｎｃｙ）回路部、２０３…組み込みマイコン（マイクロコンピュータ）。
【図１】
2007006127.tif 000003
【図２】
2007006127.tif 000004
【図３】
2007006127.tif 000005
【図４】
2007006127.tif 000006
【図５】
2007006127.tif 000007